(57)【要約】      （修正有）【課題】強制的に空気の流れを変えて鳴り孔に集中させるようにした横笛においては、吹き込んだ空気に含まれる水分により、鳴り孔に空気を導通させる挿通体の導通面、その終端部に設けた立ち上げ面、筒状体に穿設した鳴り孔周辺に及ぼされる影響を小さくし、安定した音程で奏でるようにする。【解決手段】歌口孔、鳴り孔、複数の指孔を設けた筒状体と、該筒状体の内部に挿通することにより該筒状体内周面との間で導通空間を形成し該歌口孔から吹き込んだ空気を該鳴り孔に導通させる挿通体とによって構成したものであって、該挿通体の導通空間を形成する導通面は、該鳴り孔側に向かって漸次狭くする傾斜面と先端部に立ち上げ面を形成した構造とすると共に、該立ち上げ面の少なくとも一部と該立ち上げ面に至る導通面の一部を該導通面側に設けた板状体で形成した。【選択図】図１
0003123459.tif 000002
【実用新案登録請求の範囲】
【請求項１】
歌口孔、鳴り孔、複数の指孔を設けた筒状体と、該筒状体の内部に挿通することにより該筒状体内周面との間で導通空間を形成し該歌口孔から吹き込んだ空気を該鳴り孔に導通させる挿通体とによって構成したものであって、該挿通体の導通空間を形成する導通面は、該鳴り孔側に向かって漸次狭くする傾斜面と先端部に立ち上げ面を形成した構造とすると共に、該立ち上げ面の少なくとも一部と該立ち上げ面に至る導通面の一部を該導通面側に設けた板状体で形成したことを特徴とする横笛。
【請求項２】
板状体は、導通面と面一に埋め込んだ請求項１記載の横笛。
【請求項３】
鳴り孔は、指孔側に傾斜部を形成した構造であり、内周面の少なくとも歌口孔側と指孔側に板状体を設けた請求項１又は２記載の横笛。
【請求項４】
鳴り孔を断面円弧状の板状体で形成し、筒状体に嵌め込んだ請求項１又は２記載の横笛。
【考案の詳細な説明】
【技術分野】
【０００１】
本考案は、歌口孔から吹き込んだ空気を鳴り孔に導通させる挿通体を設けた横笛の改良に関するものである。
【背景技術】
【０００２】
篠笛など日本古来の横笛としては、一端に栓を詰めた天然の竹に歌口孔と６つか７つの指孔が設けられている。このような横笛は、音程が定まりにくいばかりでなく、音を出すことさえ難しく、子供や初心者にとって極めて取り付きにくい楽器の一つとなっていた。
【０００３】
このため、本考案者が考案したものとして、鳴り孔を設けると共に歌口孔から吹き込んだ空気を該鳴り孔に導通させる挿通体を、竹の筒状体に挿通させることによって安定した音程が出せる横笛がある。例えば、特許文献１に開示されているように、従来の栓に挿通体を設けた構造であって、該挿通体により歌口孔から吹き込んだ空気を鳴り孔に導くことで鳴りやすくしている。しかも、挿通体によって管尻側（指孔側）に空気が流れやすく、一定の音程を簡単確実に出せることになる。
【特許文献１】実用新案登録第３０７１９０７号
【考案の開示】
【考案が解決しようとする課題】
【０００４】
ところが、竹や木材などの天然素材だけでは、音程を安定させるには自ずと限界がある。歌口孔から吹き込む息に含まれる湿気や唾液による膨潤、乾燥、これらに起因するひび割れなどが大きな要因である。特に、挿通体にはその先端部に空気を鳴り孔に導くため、構造的に鋭角状に尖った形状の立ち上げ面を設ける必要があるものの、この立ち上げ面に上述した影響が最も端的に現れてしまう結果となっていた。
【０００５】
また、立ち上げ面を設けた挿通体により、強制的に空気の流れを変えて鳴り孔に集中させるようにした結果、挿通体の立ち上げ面のみならず立ち上げ面に至る導通面や筒状体に穿設した鳴り孔周辺にも影響が及ぶ原因ともなっている。
【課題を解決するための手段】
【０００６】
以上のような状況に鑑み、本考案者は鋭意研究の結果本考案を完成したものであり、その特徴とするところは、歌口孔、鳴り孔、複数の指孔を設けた筒状体と、該筒状体の内部に挿通することにより該筒状体内周面との間で導通空間を形成し該歌口孔から吹き込んだ空気を該鳴り孔に導通させる挿通体とによって構成したものであって、該挿通体の導通空間を形成する導通面は、該鳴り孔側に向かって漸次狭くする傾斜面と先端部に立ち上げ面を形成した構造とすると共に、該立ち上げ面の少なくとも一部と該立ち上げ面に至る導通面の一部を該導通面側に設けた板状体で形成したことにある。
【０００７】
ここで本明細書中でいうところの挿通体は、竹製の筒状体の一端側から内部に挿通させることにより、一端側を封止すると共に筒状体に穿設した歌口孔から吹き込んだ空気を鳴り孔に案内するための部材をいう。このため、挿通体には歌口孔から鳴り孔に至る筒状体内周面との間で導通空間を形成するための導通面が設けられる。導通面には、鳴り孔側に向かって導通空間を漸次狭くする傾斜面と先端部に立ち上げ面を形成して空気を鳴り孔に集中させている。
【０００８】
挿通体は、その先端が鳴り孔の歌口孔側内周面とほぼ同じ位置に至る長さであり、この先端部分と筒状体の間で三日月形状の開口部を形成する。導通面は、傾斜面により導通空間の断面積を小さくして空気の流速を高め、立ち上げ面より三日月状の開口部へ空気を排出させる。さらに、導通面の先端部分には挿通体の先端面とで先の尖った突条の立ち上げ面を形成している。立ち上げ面は、傾斜面と連続的に設ける他、間に平坦面を介在させてもよく任意である。また、導通面は全体的に湾曲した傾斜面としてもよい。
【０００９】
本考案においては、挿通体の導通面に板状体を設けることにより、立ち上げ面の少なくとも一部をこの板状体で形成する。従って、本考案に係る横笛では、筒状体に挿通する挿通体の導通面の一部及び立ち上げ面の少なくとも一部が板状体で形成され、前述した課題を回避している。
【００１０】
板状体としてはポリ塩化ビニルやポリプロピレンなどのプラスチック、ステンレスやアルミニウムなどの金属、象牙や水牛の角など水分や湿気などで変形しない材質のものであればよく、特に限定するものではない。板状体は導通面と面一になるように嵌め込むのが好ましいが、薄い板状体であれば導通面に貼り付けるだけでもよい。板状体は、予め立ち上げ面を形成したものを嵌め込んだり貼り付けてもよく、嵌め込んでから立ち上げ面を形成する加工を施してもよい。
【００１１】
挿通体を設けた横笛では、その影響が鳴り孔周辺にも及ぶことから、鳴り孔の少なくとも歌口孔側と指孔側の内周面側に板状体を嵌め込んだり貼り付けるのが好ましい。また、鳴り孔自体を断面円弧状の板状体で形成し、これを筒状体に嵌め込む構造としてもよい。
【考案の効果】
【００１２】
本考案に係る横笛は、歌口孔から吹き込んだ空気を鳴り孔に導通させる挿通体を設けた構造において、該挿通体の立ち上げ面の少なくとも一部と該立ち上げ面に至る導通面の一部を該導通面側に設けた板状体で形成したことにより、息に含まれる湿気や唾液による変形を防止することができる。特に、立ち上げ面とこれに至る導通面を一体的に板状体で形成したため、導通面の立ち上げ面との境界部分が剥がれたり、ひび割れすることがなく、安定した音程で奏でることが可能となる。
【００１３】
また、鳴り孔周辺の一部や全体を板状体で形成することにより、挿通体を設けた横笛における変形しやすくなるという問題点を確実に回避することができた実用上極めて有益な効果を有するものである。
【考案を実施するための最良の形態】
【００１４】
本考案は、歌口孔から吹き込んだ空気を鳴り孔に導通させる挿通体を設けた構造において、該挿通体の立ち上げ面の少なくとも一部と該立ち上げ面に至る導通面の一部を該導通面側に設けた板状体で形成したことにより、上記課題を解決した。
【実施例１】
【００１５】
図１（ａ）（ｂ）は、本考案に係る横笛１の一実施例を示すもので、竹製の筒状体２に木製の挿通体３を挿通した構造である。筒状体２には、管頭側から管尻側にかけて側方に歌口孔２１、上方に鳴り孔２２と６個の指孔２３を順次穿設している。挿通体３は、筒状体２の管頭側から差し込んで栓をするもので、図２に示すように歌口孔２１から吹き込んだ空気を鳴り孔２２に導くための導通面３１を設けている。本例では、歌口孔２１に対応する位置に溝状の導通路を形成して、傾斜面３２に連通させているが、溝に代えて孔でもよく、その孔と傾斜面３２を連通させればよい。
【００１６】
挿通体３の導通面３１には、本考案の特徴である板状体としてのプラスチック板４を嵌め込み、この表面を導通面３１としている。導通面３１は、筒状体２との間の導通空間を漸次狭くするため傾斜面３２とし、その終端である先端部にプラスチック板４により形成した立ち上げ面３３を設けている。立ち上げ面３３の上端は、鳴り孔２２部分で僅かの開口部５を形成するため、ほぼ直線状としている。
【実施例２】
【００１７】
挿通体３を設けた横笛１においては、歌口孔２１から吹き込んだ空気が鳴り孔２２に集中することから、鳴り孔２２周辺も変形しやすくなる。このため、図３のように鳴り孔２２の少なくとも歌口孔２１側と指孔２３側の内周面に板状体としてプラスチック材６を嵌め込むことで、安定した音程を維持することができる。
【実施例３】
【００１８】
また、鳴り孔２２としては筒状体２に穿設する他、図４のように板状体として断面円弧状のプラスチック材に鳴り孔２２を形成したプラスチック製鳴り孔７を、筒状体２に組み付けるようにしてもよい。プラスチック製鳴り孔７は、プラスチック材から手作業で鳴り孔７を形成してもよく、射出成型品でもよい。
【図面の簡単な説明】
【００１９】
【図１】（ａ）は本考案に係る横笛の一実施例を示す斜視図、（ｂ）は挿通体を筒状体に差し込む状態を示す部分斜視図である。（実施例１）
【図２】挿通体を筒状体に装着した位置関係を示す部分断面図である。
【図３】本考案に係る横笛の他の実施例を示す部分断面図である。（実施例２）
【図４】本考案に係る横笛のさらに他の例を示す部分斜視図である。（実施例３）
【符号の説明】
【００２０】
１  横笛
２  筒状体
２１  歌口孔
２２  鳴り孔
２３  指孔
３  挿通体
３１  導通面
３２  傾斜面
３３  立ち上げ面
４  プラスチック板
５  開口部
６  プラスチック材
７  プラスチック製鳴り孔
【図１】
0003123459.tif 000003
【図２】
0003123459.tif 000004
【図３】
0003123459.tif 000005
【図４】
0003123459.tif 000006